【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
被検知体が検知面に近接した位置を検知するタッチセンサが設けられているタッチパネル
を具備しており、
前記タッチセンサは、
走査電極と、
誘電体を介して前記走査電極から間を隔てて対面する検出電極と
を有し、前記被検知体が前記検出電極に近接したときに静電容量が変化する静電容量型であり、
前記検出電極は、前記走査電極に対面する面にスリットが形成されている
情報入力装置。
【請求項２】
前記検出電極は、可視光を透過する透明電極である、
請求項１に記載の情報入力装置。
【請求項３】
前記走査電極は、前記検知面の面方向において、第１方向に延在しており、複数が前記第１方向に垂直な第２方向に間を隔てて並ぶように配列されており、
前記検出電極は、前記第２方向に延在しており、複数が前記第１方向に間を隔てて並ぶように配列されている、
請求項１または２に記載の情報入力装置。
【請求項４】
前記検出電極は、前記スリットが前記第２方向に延在するように形成されている
請求項３に記載の情報入力装置。
【請求項５】
前記検出電極は、前記スリットが複数設けられている、
請求項３または４に記載の情報入力装置。
【請求項６】
前記検出電極は、前記複数のスリットが、前記第１方向と前記第２方向との少なくとも一方に並ぶように設けられている、
請求項３から５の何れか一項に記載の情報入力装置。
【請求項７】
前記検出電極は、前記スリットが円形である、
請求項１から６の何れか一項に記載の情報入力装置。
【請求項８】
画像を表示する表示面において被検知体が近接した位置を検知するタッチセンサが設けられている表示パネル
を具備しており、
前記タッチセンサは、
走査電極と、
誘電体を介して前記走査電極から間を隔てて対面する検出電極と
を有し、前記被検知体が前記検出電極に近接したときに静電容量が変化する静電容量型であり、
前記検出電極は、前記走査電極に対面する面にスリットが形成されている
表示装置。
【請求項９】
前記表示パネルは、
第１基板と、
前記第１基板から間を隔てて対面している第２基板と
前記第１基板と前記第２基板との間に設けられた液晶層と
を含む液晶パネルである、
請求項８に記載の表示装置。
【請求項１０】
前記検出電極は、前記第１基板において前記第２基板に対向する面に対して反対側に設けられており、
前記走査電極は、前記第１基板を介して前記検出電極に対面するように、前記第１基板と前記第２基板との間に設けられている、
請求項９に記載の表示装置。
【請求項１１】
前記走査電極は、前記第１基板と前記第２基板とが対面する面において、第１方向に延在しており、複数が前記第１方向に垂直な第２方向に間を隔てて並ぶように配列されており、
前記検出電極は、前記第２方向に延在しており、複数が前記第１方向に間を隔てて並ぶように配列されている、
請求項９または１０に記載の表示装置。
【請求項１２】
前記表示パネルは、
表示領域に並ぶ複数の画素電極と、
前記表示領域において前記複数の画素電極から間を隔てて設けられている共通電極と
を含み、
前記複数の走査電極が、前記共通電極として兼用される、
請求項９から１１の何れか一項に記載の表示装置。
【手続補正２】
【補正対象書類名】明細書
【補正対象項目名】００２４
【補正方法】変更
【補正の内容】
【００２４】
【図１】図１は、本発明にかかる実施形態１において、表示装置１００の構成の概略を示す図である。
【図２】図２は、本発明にかかる実施形態１において、液晶パネル２００の全体構成を示す図である。
【図３】図３は、本発明にかかる実施形態１において、液晶パネル２００の詳細構成を示す図である。
【図４】図４は、本発明にかかる実施形態１において、液晶パネル２００の詳細構成を示す図である。
【図５】図５は、本発明にかかる実施形態１において、液晶パネル２００の詳細構成を示す図である。
【図６】図６は、本発明にかかる実施形態１において、対向電極２３の詳細構成を示す図である。
【図７】図７は、本発明にかかる実施形態１において、検出電極２４の詳細構成を示す図である。
【図８】図８は、本発明にかかる実施形態１において、センサ駆動部Ｓの詳細構成を示す図である。
【図９】図９は、本発明にかかる実施形態１において、検出器ＤＥＴを示す回路図である。
【図１０】図１０は、本発明にかかる実施形態１において、タッチセンサＴＳの動作を説明するための図である。
【図１１】図１１は、本発明にかかる実施形態１において、駆動信号Ｓｇと検出信号Ｖｄｅｔとを示す波形図である。
【図１２】図１２は、本発明にかかる実施形態１において、タッチセンサＴＳが駆動されたときの様子を模式的に示す図である。
【図１３】図１３は、本発明にかかる実施形態１において、タッチセンサＴＳが駆動されたときの様子を模式的に示す図である。
【図１４】図１４は、本発明にかかる実施形態２において、液晶パネル２００ｂの要部を示す図である。
【図１５】図１５は、本発明にかかる実施形態２において、液晶パネル２００ｂの要部を示す図である。
【図１６】図１６は、本発明にかかる実施形態２において、対向電極２３ｂの詳細構成を示す図である。
【図１７】図１７は、本発明にかかる実施形態３において、表示装置１００ｃの構成の概略を示す図である。
【図１８】図１８は、本発明にかかる実施形態３において、液晶パネル２００ｃの構成を示す図である。
【図１９】図１９は、本発明にかかる実施形態３において、タッチパネル２０９の構成を示す図である。
【図２０】図２０は、本発明にかかる実施形態３において、対向電極２３ｔの詳細構成を示す図である。
【図２１】図２１は、本発明にかかる実施形態３において、検出電極２４ｔの詳細構成を示す図である。
【図２２】図２２は、本発明にかかる実施形態４において、検出電極２４ｄの詳細構成を示す図である。
【図２３】図２３は、本発明にかかる実施形態５において、検出電極２４ｅの詳細構成を示す図である。
【図２４】図２４は、本発明にかかる実施形態の変形例において、検出電極の詳細構成を示す図である。
【図２５】図２５は、本発明にかかる実施形態の表示装置１００を適用した電子機器を示す図である。
【図２６】図２６は、本発明にかかる実施形態の表示装置１００を適用した電子機器を示す図である。
【図２７】図２７は、本発明にかかる実施形態の表示装置１００を適用した電子機器を示す図である。
【図２８】図２８は、本発明にかかる実施形態の表示装置１００を適用した電子機器を示す図である。
【図２９】図２９は、本発明にかかる実施形態の表示装置１００を適用した電子機器を示す図である。
【図３０】図３０は、静電容量式のタッチセンサＴＳが駆動されたときの様子を示す図である。
【手続補正３】
【補正対象書類名】明細書
【補正対象項目名】００８４
【補正方法】変更
【補正の内容】
【００８４】
図７に示すように、検出電極２４は、ストライプ状であって、対向基板２０２の面において、垂直方向ｙに延在している。そして、検出電極２４は、複数が、水平方向ｘにて間を隔てて並ぶように配置されている。つまり、左側から右側へ向かって、第１から第ｋの検出電極２４＿１〜２４＿ｋのｋ本が、検出電極２４として設けられている。
【手続補正４】
【補正対象書類名】明細書
【補正対象項目名】００８５
【補正方法】変更
【補正の内容】
【００８５】
第１から第ｋの検出電極２４＿１〜２４＿ｋのそれぞれは、図７に示すように、検出器ＤＥＴに電気的に接続されている。詳細は後述するが、第１から第ｋの検出電極２４＿１〜２４＿ｋのそれぞれにおいては、検出信号Ｖｄｅｔが検出器ＤＥＴへ出力される。
【手続補正５】
【補正対象書類名】明細書
【補正対象項目名】０１０８
【補正方法】変更
【補正の内容】
【０１０８】
検出器ＤＥＴにおいて、整流回路８２は、図９に示すように、ダイオードＤ１と、充電キャパシタＣ４と、放電抵抗Ｒ０とを有する。この整流回路８２は、ＯＰアンプ回路８１から出力された信号をダイオードＤ１が半波整流した後に、充電キャパシタＣ４と放電抵抗Ｒ０とによって構成される平滑回路によって、その信号を平滑化して、出力回路８３へ出力するように構成されている。
【手続補正６】
【補正対象書類名】明細書
【補正対象項目名】０１１１
【補正方法】変更
【補正の内容】
【０１１１】
具体的には、図９に示すように、コンパレータ８５において、負入力端子（−）は、整流回路８２に電気的に接続されている。また、コンパレータ８５において、正入力端子（＋）には、閾値電圧Ｖｔｈが入力されている。そして、コンパレータ８５においては、整流回路８２から出力されるアナログ信号について、閾値電圧Ｖｔｈとの間で比較処理し、その結果に基づいて、デジタル信号を出力する。
【手続補正７】
【補正対象書類名】明細書
【補正対象項目名】０１２０
【補正方法】変更
【補正の内容】
【０１２０】
このため、画素電極６２ｐと対向電極２３との間の液晶層２０３に電界が印加されて、液晶層２０３の液晶分子の配向が変化し、液晶層２０３を透過する光が変調されるので、画像表示が表示領域ＰＡにて実施される。
【手続補正８】
【補正対象書類名】明細書
【補正対象項目名】０１４４
【補正方法】変更
【補正の内容】
【０１４４】
図１３は、本発明にかかる実施形態１において、タッチセンサＴＳが駆動されたときの様子を模式的に示す図である。（ａ）は、スリット幅が狭い場合を示している。一方で、（ｂ）は、スリット幅が広い場合を示している。
【手続補正９】
【補正対象書類名】明細書
【補正対象項目名】０１６６
【補正方法】変更
【補正の内容】
【０１６６】
対向電極２３ｂは、図１４に示すように、ＴＦＴアレイ基板２０１において対向基板２０２に対面する面の側に形成されている。ここでは、対向電極２３ｂは、ＴＦＴアレイ基板２０１に形成された層間絶縁膜６１下に設けられている。
【手続補正１０】
【補正対象書類名】明細書
【補正対象項目名】０１６８
【補正方法】変更
【補正の内容】
【０１６８】
図１６に示すように、対向電極２３ｂは、実施形態１の場合と同様に、ストライプ状であって、水平方向ｘに延在している。そして、対向電極２３ｂは、複数が、垂直方向ｙにて間を隔てて並ぶように配置されている。つまり、上方から下方へ向かって、第１から第ｎの対向電極２３ｂ＿１〜２３ｂ＿ｎのｎ本が、対向電極２３ｂとして設けられている。ここでは、対向電極２３ｂは、垂直方向ｙに並ぶ複数の画素電極６２ｐｂのそれぞれに対面するように複数が等間隔に配置されている。
【手続補正１１】
【補正対象書類名】明細書
【補正対象項目名】０１７１
【補正方法】変更
【補正の内容】
【０１７１】
上記の表示装置１００において、画像表示が実施される際には、画素電極６２ｐｂと対向電極２３ｂとによって、液晶層２０３に横電界が印加されて、液晶層２０３の液晶分子の配向が変化し、液晶層２０３を透過する光が変調される。
【手続補正１２】
【補正対象書類名】明細書
【補正対象項目名】０１９３
【補正方法】変更
【補正の内容】
【０１９３】
第１から第ｎの対向電極２３ｔ＿１〜２３ｔ＿ｎのそれぞれは、図２０に示すように、実施形態１の場合と同様に、センサ駆動部Ｓに電気的に接続されており、順次、選択されて、センサ駆動部Ｓから出力された駆動信号Ｓｇが供給される。つまり、第１から第ｎの対向電極２３ｔ＿１〜２３＿ｎのそれぞれは、線順次走査駆動によって、駆動信号Ｓｇが供給される。ここでは、実施形態１と同様に、共通電位Ｖｃｏｍの駆動信号Ｓｇが供給される。
【手続補正１３】
【補正対象書類名】明細書
【補正対象項目名】０１９６
【補正方法】変更
【補正の内容】
【０１９６】
図２１に示すように、検出電極２４ｔは、実施形態１の場合と同様に、ストライプ状であって、タッチパネル基板２０９ｓの面において、垂直方向ｙに延在している。そして、検出電極２４ｔは、複数が、水平方向ｘにて間を隔てて並ぶように配置されている。つまり、左側から右側へ向かって、第１から第ｋの検出電極２４ｔ＿１〜２４ｔ＿ｋのｋ本が、検出電極２４ｔとして設けられている。
【手続補正１４】
【補正対象書類名】明細書
【補正対象項目名】０１９７
【補正方法】変更
【補正の内容】
【０１９７】
第１から第ｋの検出電極２４ｔ＿１〜２４ｔ＿ｋのそれぞれは、図２１に示すように、検出器ＤＥＴに電気的に接続されており、検出信号Ｖｄｅｔが検出器ＤＥＴへ出力される。
【手続補正１５】
【補正対象書類名】明細書
【補正対象項目名】０２０７
【補正方法】変更
【補正の内容】
【０２０７】
（Ａ）検出電極について
図２２に示すように、検出電極２４ｄは、ストライプ状であって、垂直方向ｙに延在している。そして、検出電極２４ｄは、複数が、水平方向ｘにて間を隔てて並ぶように配置されている。つまり、左側から右側へ向かって、第１から第ｋの検出電極２４ｄ＿１〜２４ｄ＿ｋのｋ本が、検出電極２４ｄとして設けられている。
【手続補正１６】
【補正対象書類名】明細書
【補正対象項目名】０２１３
【補正方法】変更
【補正の内容】
【０２１３】
（Ａ）検出電極について
図２３に示すように、検出電極２４ｅは、ストライプ状であって、垂直方向ｙに延在している。そして、検出電極２４ｅは、複数が、水平方向ｘにて間を隔てて並ぶように配置されている。つまり、左側から右側へ向かって、第１から第ｋの検出電極２４ｅ＿１〜２４ｅ＿ｋのｋ本が、検出電極２４ｅとして設けられている。
【手続補正１７】
【補正対象書類名】明細書
【補正対象項目名】０２１４
【補正方法】変更
【補正の内容】
【０２１４】
また、検出電極２４ｅにおいては、スリットＫＫが形成されている。スリットＫＫは、各検出電極２４ｅの内部において、円形状で形成されており、複数が垂直方向ｙおよび水平方向ｘにおいて、間を隔てて並ぶように設けられている。
【手続補正１８】
【補正対象書類名】明細書
【補正対象項目名】０２３５
【補正方法】変更
【補正の内容】
【０２３５】
なお、上記の実施形態において、対向電極２３，２３ｂ，２３ｃ，２３ｔは、本発明の走査電極，共通電極に相当する。また、上記の実施形態において、検出電極２４，２４ｔ，２４ｄ，２４ｅは、本発明の検出電極に相当する。また、上記の実施形態において、画素電極６２ｐ，６２ｐｂは、本発明の画素電極に相当する。また、上記の実施形態において、表示装置１００，１００ｃは、本発明の表示装置および情報入力装置に相当する。また、上記の実施形態において、液晶パネル２００，２００ｂ，２００ｃは、本発明の表示パネルおよびタッチパネルに相当する。また、上記の実施形態において、ＴＦＴアレイ基板２０１は、本発明の第１基板に相当する。また、上記の実施形態において、対向基板２０２は、本発明の第２基板に相当する。また、上記の実施形態において、液晶層２０３は、本発明の液晶層に相当する。また、上記の実施形態において、タッチパネル２０９は、本発明のタッチパネルに相当する。また、上記の実施形態において、スリットＫＫは、本発明のスリットに相当する。また、上記の実施形態において、タッチセンサＴＳは、本発明のタッチセンサに相当する。